(57)【要約】【課題】洗い場の幅よりも狭いカウンターを備え、使い勝手の良い浴室ユニットを提供する。【解決手段】浴槽２と洗い場３とに隣接した壁部材５Ｂに、洗い場３の幅Ｗ１よりも狭いカウンター３１０を備えた浴室ユニット１において、カウンター３１０の物品載置面３１１を浴槽上面２Ｕより低い位置に備え、カウンター３１０の側方領域であって浴槽上面２Ｕより低い位置の壁部材５Ｂの領域に、収納部材と収納部材を着脱自在に支持する支持部材４０Ｌ，４０Ｒとを備えている。【選択図】図１
2011188890.tif 000002
【特許請求の範囲】
【請求項１】
浴槽と洗い場とに隣接した壁部材に、上記洗い場の幅より狭いカウンターを備え、
上記カウンターの物品載置面を浴槽上面より低い位置に備えた浴室ユニットであって、
上記カウンターの側方領域において、上記浴槽上面より低い上記壁部材の領域に、収納部材と該収納部材を着脱自在に支持する支持部材とを備えたことを特徴とする、浴室ユニット。
【請求項２】
前記支持部材が前記壁部材に複数設けられていることを特徴とする、請求項１に記載の浴室ユニット。
【請求項３】
前記支持部材が、前記カウンターの左右の側方の各側であって前記物品載置面の高さ位置で、前記壁部材に設けられていることを特徴とする、請求項２に記載の浴室ユニット。
【発明の詳細な説明】
【技術分野】
【０００１】
本発明は、洗い場の幅より狭いカウンターを備えた浴室ユニットに係り、特にカウンターまわりに物品をまとめて収納可能な浴室ユニットに関する。
【背景技術】
【０００２】
従来から、カウンターを設けた浴室ユニットが知られている。従来のカウンターは、浴槽と洗い場とが隣接する壁面において浴槽横の洗い場領域に設けられている。カウンターは洗い場の全幅に亘る長さを有しており、シャンプー、リンス、石鹸などの入浴用具、洗面用具、洗面器などを載置することができる広い物品載置面を備えている。
【０００３】
近年では、特許文献１に開示されているように、カウンターの幅を洗い場の幅よりも狭くしたカウンターが開発されている。カウンターの幅が狭くなると、入浴用具、洗面器などを載置する物品載置面も小さくなるので、カウンターに隣接した位置に入浴用具などを載置するトレーや収納カゴなどを設けることが必要になる。
【０００４】
カウンターまわりに入浴用具などを収納することに関して、特許文献２，３に開示された技術が知られている。
【０００５】
特許文献２には「吊り下げ支持部材」が開示されている。この吊り下げ支持部材によれば、浴室壁面に取り付けられた支持具に、吊下げ収納部材を吊るすことができる。
【０００６】
特許文献３には「浴室ユニット」が開示されている。この浴室ユニットでは、支持レールが浴室壁面に固定され、壁面用機能部材に設けられた係止部が支持レールに着脱自在に係止されている。この浴室ユニットによれば、棚やシャワーフック等の壁面用機能部材の位置の変更や増設などを容易に行うことができる。
【先行技術文献】
【特許文献】
【０００７】
【特許文献１】特開２００７−１６７５７１号公報
【特許文献２】特開２００３−２０４８９３号公報
【特許文献３】特開２００３−９７０６９号公報
【発明の概要】
【発明が解決しようとする課題】
【０００８】
特許文献２，３では、入浴用具などは、カウンターの物品載置面よりも高い位置に設けられたカゴやトレーに収納又は載置される。このため、例えば入浴中に入浴剤などの用具類を使用する場合、収納又は載置された上方に位置するカゴやトレーからこれらの用具を出して下方のカウンターに載置したうえで使用し、また使用後は、これらの物品を元のカゴやトレーなどに戻すときにはカウンターより高い位置まで物品を持ち上げなければならない。特にカウンターの物品載置面が浴槽の上面よりも低い場合、カウンターの物品載置面から上方のカゴやトレーへの収納位置への物品移動距離が長く、場合により着座した状態から一旦、立ち上がるか或いは中腰の状態で収納しなければならない。そこで、より簡便に物品をカウンターから元の収納位置へ戻すことができれば便利である。
【０００９】
本発明は、上記課題に鑑み、洗い場の幅よりも狭いカウンターを備え、使い勝手の良い浴室ユニットを提供することを目的とする。
【課題を解決するための手段】
【００１０】
上記目的を達成するため、本発明は、浴槽と洗い場とに隣接した壁部材に、洗い場の幅よりも狭いカウンターを備え、カウンターの物品載置面を浴槽上面より低い位置に備えた浴室ユニットであって、カウンターの側方領域において、浴槽上面より低い壁部材の領域に、収納部材と該収納部材を着脱自在に支持する支持部材とを備えたことを特徴としている。
【００１１】
本発明の浴室ユニットにおいて、支持部材は壁部材に複数設けられ得る。例えば、支持部材を、カウンターの左右の側方の各側であって、物品載置面の高さ位置で壁部材に設けることができる。
【発明の効果】
【００１２】
本発明によれば、カウンター側方に設けられた支持部材によって、収納部材を着脱自在に支持することができる。この支持部材により収納部材をカウンター側方に配設することができるので、カウンターの物品載置面に置いた入浴用具などの小物を入浴者の姿勢を変更することなく簡便に元の収納位置へ戻すことができる。
【００１３】
特に入浴者がカウンター前に座って、頭を下げてシャンプーしているときに、カウンターの物品載置面の小物を収納部材に戻すときなどに便利である。従来のように、浴槽の上面より高い位置に小物を収容するカゴなどがある場合、シャンプー時に頭を上げて収容場所を確認する必要があったが、本発明では、頭を下げた状態でも、カウンター脇で支持部材によって支持された収納部材を確認できる。
【図面の簡単な説明】
【００１４】
【図１】本発明の実施形態に係る浴室ユニットの部分斜視図である。
【図２】図１の浴室ユニットにおける断面図である。
【図３】（Ａ）は図１の浴室ユニットの支持部材に収納部材を取り付ける前の状態、（Ｂ）は支持部材に収納部材を取り付けた状態、をそれぞれ示す図である。
【図４】図３（Ｂ）のＡ−Ａ線に沿った部分断面図である。
【図５】本発明の実施形態に係る多機能部材の側面図である。
【図６】本発明の実施形態に係る多機能部材の可動部を固定部から外した状態を示す部分斜視図である。
【図７】本発明の他の実施形態に係る浴室ユニットの部分斜視図である。
【発明を実施するための形態】
【００１５】
以下、本発明の実施の形態について図面を参照しつつ詳細に説明する。
図１は本発明の実施形態に係る浴室ユニット１を示す部分斜視図である。
浴室ユニット１は、浴槽２と、この浴槽２に隣接して設けられる洗い場３と、を備えている。浴槽２と洗い場３とは図示省略する防水パン（後述図２の防水パン４）上に設けられている。この防水パンの周縁から４つの壁部材が立ち上がって、浴室ユニットの四方の壁部を形成している。図１では、４つの壁部材の内、２つの壁部材５Ａ，５Ｂを図示し、残りのパネルの図示を省略している。４つの壁部材の上縁には、図示省略する天井が取り付けられている。浴室ユニット１は、これらの防水パンと４つの壁部材と天井とから箱型に構成される。
【００１６】
本実施形態では、浴槽２と洗い場３とが隣接する壁部材５Ｂに、例えば物品載置機能、配管カバー機能、水栓機能等の複数の機能を備えた多機能部材１０を備えている。
多機能部材１０は、壁部材５Ｂの下側領域に浴槽２と並ぶように設けられている。
【００１７】
多機能部材１０は、下部ユニット２０と上部ユニット３０とから構成されている。
先ず下部ユニット２０について説明する。
下部ユニット２０は、固定部２１０と可動部２２０とから構成されている。
【００１８】
下部ユニット２０の固定部２１０は、洗い場３と壁部材５Ｂとの間に固定されている。なお、後述の図６に示すように、洗い場３を構成するパネルの浴槽２と多機能部材１０との境界領域に開口３Ａが形成されており、上記固定部２１０は，この開口３Ａとその周辺（以下、開口周辺領域Ｓ１と呼ぶ）から位置をずらして設けられている。また、この開口３Ａから配管６が浴室ユニット１内へ引き込まれている。配管６は、給水配管や給湯配管であって、図６では、一方の配管だけを図示し、他方の配管の図示を省略している。
【００１９】
上記固定部２１０は、棚部２１１と幕板部２１２とから構成され、棚部２１１は、洗い場３より一段高い位置に入浴用具などの小物を載置する載置面２１１Ａを備えている。載置面２１１Ａは水はけを考慮して、奥側（壁部材５Ｂ側）から手前側（洗い場３側）へ向けて高さが次第に低くなるように傾斜している。
【００２０】
固定部２１０の幕板部２１２は、この載置面２１１Ａの奥側の縁から上方へ立ち上るように構成され、開口３Ａから引き込まれて壁部材５Ｂの表面に沿って配設される上記配管６（図６）を覆っている。幕板部２１２の上縁は、浴槽の上面よりも低い位置に設定されている。これは、例えば幕板部２１２の上縁に付着したシャンプー泡などが、当該上縁から浴槽内へ入ることを防止するためである。
【００２１】
可動部２２０は、例えば固定部２１０に着脱自在に取り付けられるものである。可動部２２０は、固定部２１０に装着した状態で、前述の開口周辺領域Ｓ１（図６）を覆う。
【００２２】
可動部２２０は、前壁部２２１と、この前壁部２２１の右端から幕板部２１２側に延出する横壁部２２２と、前壁部２２１と横壁部２２２の上縁に繋がった平坦な載置面部２２３と、この載置面部２２３の奥側の縁から立ち上った奥壁部２２４と、載置面部２２３と奥壁部２２４の各左端部に繋がった側壁部２２５と、から構成されている。
【００２３】
可動部２２０が固定部２１０に装着された状態で、横壁部２２２は固定部２１０の棚部２１１の左端と幕板部２１２の左端とに水密的に当接している。
【００２４】
次に、上部ユニット３０について説明する。
上部ユニット３０は、図１に示すように、カウンター部３１０と、カウンター部３１０の奥側の縁部から立ち上った立壁部３２０と、立壁部３２０の上部に設けられた水栓装置部３３０と、から構成され、下部ユニット２０の上縁、具体的には固定部２１０の幕板部２１２の上縁に下端近傍を載らせた位置で、壁部材５Ｂに取り付けられている。
【００２５】
上部ユニット３０のカウンター部３１０は物品載置面３１１を構成し、この物品載置面３１１は、図１に示すように、浴槽２の上面２Ｕの高さより低い位置に配置されるよう設定されている。
【００２６】
カウンター部３１０は、図に示すように洗い場３の幅Ｗ１及び下部ユニット２１０の棚部２１１並びに幕板部２１２の幅Ｗ２より狭く寸法が選定されている。例えば、カウンター部３１０の幅Ｗ３は、洗い場３の幅Ｗ１の３分の１以下に設定される。
【００２７】
本実施形態では、立壁部３２０、水栓装置部３３０、ミラー７（後述）及び照明装置８Ａ，８Ｂ（後述）の幅も、このカウンター幅Ｗ３に合わせて設計され、統一感のある外観を呈する配置構成になっている。
【００２８】
カウンター部３１０の奥行きＤ１は、下部ユニット２１０の棚部２１１の奥行きＤ２より大きく設定されている。カウンター部３１０は、棚部２１１よりも洗い場３中央側へ突出している。
【００２９】
上部ユニット３０の立壁部３２０は、下部ユニット２０の幕板部２１２の上縁から上方へ延出する配管６（図６参照）を覆う部材である。
【００３０】
水栓装置部３３０は、吐水口３３１、流量調節操作部３３２、温度調節操作部３３３を備えている。前述の配管６は、フロア開口３Ａから引き込まれ、下部ユニット２０の幕板部２１２の裏側領域（図示省略）及び上部ユニット３０の立壁部３２０の裏側領域（図示省略）を通って、水栓装置部３３０まで延出しており、水栓装置部３３０の水栓本体などに接続されている。
本実施形態では、この水栓装置部３３０の上面３３４も物品載置面として利用することができる。
【００３１】
上部ユニット３０は、図１に示すように、洗い場３の幅方向において、浴槽２から距離を置いて設けられている。また、上部ユニット３０は、壁部材５Ａに対向する壁部材（図１では図示省略。後述の図２の壁部材５Ｃ）からも距離を置いて設けられている。
【００３２】
本発明の実施形態に係る多機能部材１０は、後述のカゴ５１，５２などの収納部材を支持する支持部材４０Ｌ，４０Ｒを備えている。ここで、図２は図１の浴室ユニット１を壁部材５Ｂに平行な垂直断面で切断した断面図であり、支持部材４０Ｌ，４０Ｒは、図２に斜線で示す領域、つまりカウンター部３１０の側方であって浴槽上面２Ｕより低い位置の壁面取付領域ＳＬ，ＳＲ内に設けられる。
【００３３】
本実施形態では、支持部材４０Ｌ，４０Ｒは図３（Ａ）に示すようにカウンター側方の幕板部２１２の上縁に設けられている。言い換えれば、支持部材４０Ｌ，４０Ｒはカウンター部３１０の左右の側方の各側で、カウンター部３１０の物品載置面３１１の高さ位置に後述の支持部材４０Ｌ，４０Ｒの底面４１１（図４参照）が配置されるように、壁部材５Ｂに図示省略するねじなどで固定されている。
【００３４】
左側の支持部材４０Ｌは、図３（Ａ）に示すように、カウンター部３１０の左側の幕板部２１２の上縁の全幅に亘る長さを有し、右側の支持部材４０Ｒはカウンター部３１０の右側の幕板部２１２の上縁の全幅に亘る長さを有する。なお、図３（Ａ）に示すように、カウンター部３１０は洗い場３の中間位置Ｃより浴槽２側へ距離Ｄだけオフセットされて配設されている。このため、左側の支持部材４０Ｌは、右側の支持部材４０Ｒよりも短い長さに設定されている。
このような支持部材４０Ｌ，４０Ｒは、収納部材を着脱自在に支持するものである。図３（Ｂ）では、収納部材としてカゴ５１，５２が支持部材４０Ｌ，４０Ｒに支持されている状態を示している。
【００３５】
図４は図３のＡ−Ａ線に沿った断面図である。支持部材４０Ｌは、略コ字状の断面を有する長尺部材であって、幕板部２１２の上縁面に当接する底面部４１１と、壁部材５Ｂの表面に当接する背面部４１２と、背面部４１２の上縁から前方へ突出した上面部４１３と、溝部４１４と、を有する。溝部４１４で前述のカゴ５２などの収納部材に設けられた取付部５３が係止される。
支持部材４０Ｌの下側の前端から、爪部４１６が下方へ突出している。支持部材４０Ｌが壁部材５Ｂに取り付けられた状態で、爪部４１６は幕板部２１２を壁部材５Ｂへ押し付ける働きをする。
カウンター右側に配置される支持部材４０Ｒも、左側の支持部材４０Ｒと同様の断面形状を有する。
【００３６】
さらに、本実施形態に係る浴室ユニット１では、ミラー７が多機能部材１０の上部ユニット３０の上方位置に配置され、照明装置８Ａ，８Ｂがミラー７より高い位置に設けられている。なお、照明装置８Ａ，８Ｂも、カウンター幅Ｗ３に合わせた寸法に設計されている。一方の照明装置８Ｂは、上部カウンター３０、ミラー７と上下方向に整列するように、壁部材５Ｂに設けられている。
【００３７】
以上のように構成された本実施形態に係る浴室ユニット１では、洗い場３に隣接した壁部材５Ｂの下部領域に多機能部材１０が配設されている。
多機能部材１０は、カウンター部３１０の物品載置面３１１、棚部２１１の載置面２１１Ａ、可動部２２０の載置面部２２３、水栓装置部３３０の上面３３４に小物などを載置できることに加えて、支持部材４０Ｌ，４０Ｒに係止したカゴ５１，５２にシャンプーやリンスなどの容器を収容できる。
この多機能部材１０によれば、入浴用品などをカウンター部３１０まわりに、言い換えれば、浴槽２の上面２Ｕより低い壁部材５Ｂの下部領域にまとめて収納することができる。
【００３８】
この多機能部材１０に入浴用品などをまとめて収納することに加えて、カウンター部３１０から上方へ、カウンター幅Ｗ３と同じ寸法に設定された、幕板部３２０、水栓装置部３３０、ミラー７、照明装置８Ｂを上下方向へ整列させて配設することで、壁部５Ｂにおける部材配置（レイアウト）をシンプルにできる。このようなシンプルな部材配置構成は従来の浴室ユニットに比べて斬新であることから、見栄えを向上させることができる。
【００３９】
また、本実施形態では、支持部材４０Ｌ，４０Ｒが、カウンター部３１０の側方の各側に設けられている。これらの支持部材４０Ｌ，４０Ｒは、収納部材を着脱自在に支持する。図示例の収納部材は、支持部材４０Ｌ，４０Ｒよりも低い位置で入浴用品などの小物を支持する。また、ユーザーは複数の支持具の中から任意に選択したものを、支持部材４０Ｌ，４０Ｒに係止させることができる。
【００４０】
このため、本実施形態に係る浴室ユニット１によれば、カゴ５１，５２などの収納部材がカウンター部３１０の側方に配設されているので、カウンター部３１０の物品載置面３１１に置いた入浴用具などの小物を簡便に元の収納位置へ戻すことができる。
【００４１】
特に入浴者がカウンター前に座って、頭を下げてシャンプーしているときに、カウンター部３１０の物品載置面３１１の小物を戻すときに便利である。従来のように、浴槽２の上面２Ｕより高い位置に小物を収容するカゴなどがある場合、シャンプー時に頭を上げて収容場所を確認する必要があったが、本実施形態の浴室ユニット１では、頭を下げた状態でも、カウンター脇で支持部座４０Ｌ，４０Ｒによって支持された収納部材や収納部材に収納した物品を確認できる。
【００４２】
さらに、本実施形態の多機能部材１０では、図５に示すように、棚部２１０の載置面２１１Ａが洗い場３よりも一段高くなっているので、洗い場３上の水が載置面２１１Ａへ上がり、載置面２１１Ａ上の小物にかかることを防止する。
【００４３】
さらに、本実施形態の多機能部材１０では、図６に示すように、下部ユニット２０を構成する可動部２２０を固定部２１０から外すことができる。
この可動部２２０は、開口周辺領域Ｓ１を覆うだけでなく、上部に載置面部２２３を有する。この載置面部２２３も浴槽２の上面２Ｕよりも低い位置に設定されており、壁部材５Ｂの下方領域に小物などを集中的に収容することに貢献できる。
【００４４】
また、図１に示すように、可動部２２０の載置面部２２３が浴槽２に隣接しているので、ユーザーが入浴中に飲む飲料水を入れたボトルなどの容器を置くことにも利用できる。
【００４５】
以上説明したが、本発明は発明の趣旨を逸脱しない範囲において様々な形態で実施をすることができる。
【００４６】
支持部材に支持される収納部材は、図示のカゴ５１，５２に限定されるものではなく、フック（図７の符号５３）やトレーであってもよい。
【００４７】
上記構成例では、洗い場の幅より狭いカウンターが、カウンター部として多機能部材の一部として構成される場合を例示したが、本発明のカウンターは、多機能部材を省略して設けられてもよいことは勿論である。図７は本発明の他の実施形態に係る浴室ユニットの部分斜視図である。この図に示す場合もカウンター３１０’の物品載置面は、図２の物品載置面３１１のように、浴槽上面２Ｕより低い位置に設定される。
【００４８】
支持部材４１Ｌ，４１Ｒは、図２に斜線で示す領域、つまりカウンターの側方であって浴槽上面２Ｕより低い位置の壁面取付領域ＳＬ，ＳＲ内であれば、その配置位置は問わない。また、各側面領域ＳＬ，ＳＲにおいて、支持部材４１Ｌ，４１Ｒは上下に複数設けられてもよい。例えば図７に破線で示すように、カウンター３１０’の右側で、支持部材４０Ｒの下方位置に、支持部材４０Ｒ’を設けてもよい。
【００４９】
本発明の支持部材は、カウンター左右の一方側の壁面取付領域にだけ設けられてもよい。支持部材の長さは図示例に限定されるものではない。
【符号の説明】
【００５０】
１          浴室ユニット
２          浴槽
３          洗い場
３Ａ        開口
５Ａ、５Ｂ  壁部材
６          配管
７          ミラー
８Ａ、８Ｂ  照明装置
１０        多機能部材
２０        下部ユニット
２１０      固定部
２１１      固定部の棚部
２１２      固定部の幕板部
２２０      可動部
２２１      可動部の前壁部
２２２      可動部の横壁部
２２３      可動部の載置面部
２２４      可動部の奥壁部
２２５      可動部のエプロン部
３０        上部ユニット
３１０      カウンター部
３２０      立壁部
３３０      水栓装置部
４０Ｌ，４０Ｒ  支持部材
４１１      支持部材の底面部
４１２      支持部材の背面部
４１３      支持部材の上面部
４１４      支持部材の前部
４１５      支持部材の凹部
Ｓ１        開口周辺領域
ＳＬ，ＳＲ  壁面取付領域
【図１】
2011188890.tif 000003
【図２】
2011188890.tif 000004
【図３】
2011188890.tif 000005
【図４】
2011188890.tif 000006
【図５】
2011188890.tif 000007
【図６】
2011188890.tif 000008
【図７】
2011188890.tif 000009